(57)【要約】      （修正有）【課題】従来の直線法では利用されないで捨てていた力を有効に活用する。【解決手段】爆発室の周囲に上下左右前後方向の６方向に爆発力を取り出す噴出口を備え、各噴出口に回転体３の対を配置する。回転体３に備えたブレードにより、対の回転体３は基本的に互いに反対方向に回転する。対の回転体３の互いの回転状態を制御することにより、互いの反作用は系内で相殺し、各方向の爆発力は角度変換され、６方向の回転体の対のすべてから進行方向の力を取り出す。【選択図】図５
2008088968.tif 000002
【特許請求の範囲】
【請求項１】
原動力の爆発により発生する力を直接回転体に伝えて、あるいは原動力の原動機により発生する力の、立方体の六面の方向の力を、あるいは六面または球面の内の任意の方向の力を、あるいは加工した二方向の力を、求める方向の力にすべく、直線法で求める方向の力は直線法で用い、あるいは相殺法を含む直角法で用い、直線法では用いることができない反作用を含む方向の力を相殺法を含む直角法で、用いる方向の力に変換して用いる構造および方法の請求項１の回転体による爆発力の利用方法および利用体。
【発明の詳細な説明】
【技術分野】
【０００１】  回転体の角度変換移動による、一次エネルギー、および二次エネルギーの磁力、膨張、燃焼、爆発（以下爆発と称す）の力による、回転体による爆発力の利用方法および利用体に関する。
【背景技術】
【０００２】  原動機を動かすに、石油等の原動力の主として爆発力により原動機を動かして、地面、空気等の対象に依拠して、ものの動きを得ている。
【特許文献１】  ２００１−５４００４７
【非特許文献１】  自家用車  内外出版社
【発明の開示】
【発明が解決しようとする課題】
【０００３】  原動力の爆発は大略球形であるが、直線の作用反作用の直線法による力の取り出し方のために、内燃機関等のように、ピストン  シリンダー、あるいは二次エネルギーによる電動機の回転子  固定子のように、一方向のみの力の取り出し方となり、球形の爆発の一方向即ち球形六面体の六分の一の力しか利用せず、また電動機のように、爆発を伴わない加工された力では二分の一の利用となり、逆方向の力は直線法では利用できないため、反動、耐性としてあるいは噴射として費消されている
【課題を解決するための手段】
【０００４】  従来の直線法では、物体の移動はその重心を押して移動する直線法によるために、一方向の力しか取り出して使用すことはできなかった。
また、物体の移動は地面、噴射等の対象を蹴って移動するものと、学び、そのように見えてきた。
このことは、現実にそぐわない面がある。
阪神タイガースの風船は、飛ばすまでは風船の内圧は均一で、平衡状態である。
握っている口を離すことにより、空気が噴射して、その反動で飛ぶとされてきた。
これを風船内部よりみると、開口したことによりその部位の圧力は解放されて下がる。圧力の高い内部から抜けて出て行く空気は、圧力の高い内部を蹴って力を与えることはできない。
したがって、圧力の低い方へ気体は移動するから、圧力の低い方へ飛ぶのが道理であるが、現実は反対方向へ移動する。【０００５】  この矛盾は、爆発は大きく分けて、球形の六方向の力の方向でなり、全体は常に平衡状態を求めるもの  とすれば、成り立つ。
すなわち、開口して圧力の減じた方向に対して、逆方向との、内圧のベクトルの平衡が崩れるために、平衡を保つために、風船は噴射方向と逆方向に移動する  とすれば理解できる。
六方向の、移動に係わる二方向の移動方向と逆方向以外の、他の互いの逆方向のベクトルは、互いに平衡を保って移動とは関係が発生しない。
以上のことから、ロケット等の噴射による移動は、噴射等の反動で、逆方向に移動するものではなく、互いの逆方向のベクトルのバランスの崩れにより、移動すると解するのが正しい。【０００６】  すなわち、爆発による力は球形に膨らんで平衡を取ろうとするもので、ある一つの方向への力の膨らみは、逆方向の力の反動で移動するものではなく、逆方向の力も、球形の爆発の逆方向への力であって、進行方向の力の反動ではない。
大砲等の反動も、球形の爆発の二方向の力を取り出したものであり、従来発射される弾の反動として考えられているが、  実際は  弾が動くことにより  砲身内の弾の動き分の圧力が下がることにより、内圧の互いに逆方向のベクトルの平衡が破れて、即ち弾の進行方向と逆方向との爆発の圧力方向の平衡が破れて弾の進行方向と逆の力が働くと解するのが妥当である。【０００７】  各々の方向の力は、各々が別個の独立した方向の力  と解すれば  移動方向は、逆方向の力により発生するのではなく、噴射等の力の発生による、ものを蹴って移動しているものではなく、互いに逆方向のベクトルのバランスの崩れにより発生するものである。
また、電力、蒸気、人力等の加工されて  一方向への、方向性を有する力も、前述同様に力の伝達は必ず平衡状態を醸成してなされると解するのが妥当である。
このことの発見により  爆発により球形に平衡を求めて拡散する力は  細かく観れば、力の方向は、球形状に無数となり、実際に使用するのは  爆発による力の球形の立方体の六面の各々の方向成分の集合体である。【０００８】  そのため、構成される六方向の各々の力は、その方向へ各々が進むもので、逆方向の力等の他方向の力に従属したものではなく、一方向の減圧が逆方向のベクトルとのバランスの崩れを起こして  対として動くものである。
直線法においては  前記六方向の内の一方向の力の成分を取り出して使用するもので、逆方向の力を含めて  その他の方向の力は、重心を押すために利用することが不可能であった。【０００９】  また噴射として扱う逆方向の力は、直線法では反動として  移動に不可欠の形態とされてきたが、これも単に二方向の力のバランスの崩れと解することができる。。
本願の回転体の角度変換移動の、相殺法を含む直角法による六方向への力の方向の各々の方向の異なる力を  求める方向の力に、直線法では使用することができなかった力を回転体の角度変換により変換して移動力として利用する。
このことは、内燃機関、電動機、ロケットの噴射機関等の、作用反作用で移動する、従来の直線法では、爆発から取り出した力は、球形の爆発の一方向の力あるいはその方向の要素を有する力のみとなるために、移動していない物体に力を加えると、加えた力との間で平衡状態となる。【００１０】  対象が加えた力に応じて互いに逆ベクトルとなることにより、崩れを生じて加えた力は物体に伝わる  と理解できる。
これらより、反作用が発生するのは、直線法による一方向の、加工された力を伝えることにより、対象との間で発生するものであり、
力の発生である爆発と、力を伝える直線法での物体の移動とは、別個の現象で、直線法は、爆発により発生する力の一方向の力の用い方をあらわしているに過ぎない。
本来  球形の爆発の六方向の力と、上記の諸機関で加工して一方向に方向付けた力とは方向が同じために、六方向の一方向とは別個の現象を同一視することにより、あるいは混同したものである。【００１１】  すなわち、爆発で発生する球形の力は球形となる無数の方向の力の集合体であって  各方向への力を発しているが、全体として爆発自体は動いていない。
この集合体の内の求める方向の力をとりだすには、直線法では、必ず求める方向の力と逆方向の力が組になって  互いのベクトルの平衡の崩れを発生して移動が得られるので作用反作用の形態をとるもので  爆発の形態と、それから力をとりだす、直線法の形態は、根本的に別個の現象である。
まとめると
１  爆発による力の発生と作用反作用の直線法による物体の移動は別個の現象である。
２  爆発による力の方向は各々が独立している。
３  直線法による物体の移動は六方向の内の対称方向の互いのベクトルの崩れで発生する。
その間違いの主な原因は、直線法における作用と反作用が必ず対をなしており、片方が起これば、もう一方も必ず起こらなければ、互いのベクトルの崩れは発生しないために、爆発による一方向の力と、それによりなされる作用反作用の力の移動を同一視するものである。【００１２】  直線法による移動方法と、直角法による移動方法とは、爆発等の力の発現に対して、同列の機会あるいは連続した現象であり、表れる現象では  人間の歩行等のように直線法での移動の限界で、あるいは直角法に、あるいは慣性移動に連続して直角法は表れる。
爆発による力は六方向であるために、太陽、内燃機関等の爆発は同様に見かけ上、爆発自身は動いておらず、  したがって、この場では作用反作用の重心を押す、直線法は成り立っていない。【００１３】  直線法が成り立つのは、爆発の一方向の力、あるいは爆発を加工して、一方向の力を取り出して利用することで、成り立っているもので、その際に発生する、求める方向以外の力を直線法では噴射等で勇ましく排出して、移動しているのが現実である。
古来ニュートン等先哲の直線法では、物体を押して移動を得るため力の最速の形態である光速で押す力の早さ以上の早さは存在しないで、光速は直線法の速度の限界となって超えることはできないとされているが、直線法の限界速度での移動は直角法での出発点となり、直角法では、まだ光速の限界速度には達していない。
また、直線法はバランスの崩れによる移動のために、重力の在る場では有効であるが、無重力の場での移動は以下述べる点で、相殺法を含む直角法に比して不利である。
すなわち、直線法においては慣性移動と定常加速移動は等価であり、直線法では慣性で移動している物体に加速する場合、加速する力の早さは慣性時の早さに、加速する早さを足した早さか、それ以上の早さが必要であり、直線法の常識である。【００１４】  また、前記のように、球形の原動力の力を取り出すに、直線法のために一方向の力のみを利用して、他の六分の五の方向の力は、勇ましく撒き散らして移動して、その他の力の利用は不可能な論外のこととされていた。
回転体による相殺法を含む直角法の採用により、爆発球形の六面すべてより力を取り出して、求める方向の力に変換して利用するものであり、加工された二方向の力も同様利用となって課題を解決する。
【発明の効果】
【００１５】  地面等の対象に依拠して発生した求める方向の力のみを利用して移動する、直線法では捨てていた六分の五の、利用できなかった力を使用してエネルギーの効率を上げて、直面する安全資源環境問題等の解決、先延ばしに資する。
【発明を実施する最良の形態】
【００１６】  直線法のロケット等の噴射機関においては、爆発力を開放して球形の爆発力の六分の一に相当する爆発力を利用して飛翔している。
また内燃機関等の諸機関でも、上記同様である。
爆発を球形として、各々六面の各方向面の力で進行方向以外の面で回転体の自転を得て、当該回転体に加力点を設けて、同一方向あるいは逆方向の、互いの回転体を逆転して生ずる反作用を相殺して、求める方向に進行する。
【実施例１】
【００１７】  図により例示すれば、例示図は従来の直線法で移動するロケットに直角法の対をなす、相殺法を併用して、進行力を得るもので、一方向の力の利用である直線法で移動するロケット１は噴射２の反作用で進行力を得て進行するとされ。
噴射２は球形の爆発力の反作用方向と逆向きに進行する力であるから、互いの平衡のバランスの崩れによる、進行には役立たないが、直線法では不可欠の逆向きに移動する力である。
噴射２を対に設置した回転体３、３′に当てて各々を互いに逆転して加力点４、４′を仮の支点として、公転して、噴射方向と逆方向の進行力としてロケット１に伝えて逆向きの噴射力を逆向きにして進行力とする構造および方法の回転体による爆発力の利用方法および利用体である。【００１８】  例示図の、進行方向に逆に噴射２される力は、直線法では捨てられるが、直角法を対にした相殺法では回転体の自転力として利用し、加力点により、逆方向の進行方向の力に変換して、図２は直角法の積層の回転体を互いに逆転して相殺法として進行方向の力としたもので、点線で示す噴出口５、５′の噴射により矢印８で表す互いに逆転方向に回転する回転体の受け部を省略して  直接加力点４、４′どうしを直接接して  直角法となる。
また  後部の片側のいずれかの噴射を制限することにより、両側の均衡が崩れて  方向転換ができる。
図中、６は回転体の復帰具、７はロケットへの取り付けの回転体の支持具、８は回転体の回転方向を示す矢印、９は中心軸、である。【００１９】  すなわち爆発による作用の反作用として進行する方向の逆方向の噴射力で対あるいは複数の対の回転体の自転を得て、互いの反作用を相殺して、進行方向に公転せしめて移動する。【００２０】  したがって  爆発室で爆発せずに、回転体に直接原動力の爆発を噴出して回転を得ても同義で、図３、４は六面体のうちの三方向に噴出口５を有する爆発の例示で、噴射室２′内で爆発した噴射２は上部の対になった回転体３、３′は  互いに逆転して加力点により公転して、進行方向の矢印１０の方向へ進み、下部の両側の回転体３、３′も同様に中心方向へ加力して合力となり、上部方向へ進行する。
図中  １１は排気管、１１′は排気口、１２は外皮被覆、１３は転がり車輪、１４は原動力の供給等の制御部、である。
本例示図では  全体を対の回転体で作動させているが、下部の両側を直角法の単体の回転体として両側で対の回転体として相殺法を構成でき、多方向になるほど程利用が可能となる。
本例示および説明は、直線法、相殺法を含む直角法の三方法の併用により、従来の直線法では用いることが不可能であった方向の力の互いに逆方向、あるいは本例示の三方向とした、二方向の変形構造を表すもので、爆発本来の六方向の力の取り出しの一部分を示した、相殺法を含む直角法により角度変換して移動を得るもので、例示のように爆発による出力に限らず  在来の出力機関、あるいは角度変換による出力等  すべての出力を用いることができる。
また進行方向の対の回転体３、３′を封鎖すれば図１のロケットと等しい直線法の移動となる。
即ち原動力による原動機により、あるいは直接原動力の爆発力を回転体に伝えて、発生した求める進行方向に直線法による移動に反作用を含む必要以外の方向の力を  回転体による角度変換移動の直角法、相殺法を用いて、求める進行方向に必要な力に変換して移動を得る構造および方法の回転体による爆発力の利用方法および利用体である。
【実施例２】
【００２１】  本実施例は直角法より導かれる相殺法を用いて爆発により発生する力のすべてを利用する形態の概念を例示するもので、
図５の六方向の噴出口５、５５、と５２、５３と５４、５６の六方向の各噴出口よりなる噴射室２′で爆発した原動力は、上記の六方向の噴出口より噴出して、実施例１の図３と同じく六方向のすべての対の回転体３、３′を回転する。
いま、矢印１０の方向に進行を求めると、  噴出口５の対の回転体３、３′は受け部１５を仮の支点として噴射５２により矢印の方向へ上昇し、噴出口が対抗する噴出口５５の回転体も同じ噴射５５２により上昇する。
噴出口が対抗する噴出口５２と噴出口５３の対の回転体３、３′も同様に噴射５２２と噴射５３２により互いに逆転しており、噴出口５２の回転体３と噴出口５３の回転体３も互いに逆転しており、互いの回転体どうしを受け部１５を仮の支点とすることにより、矢印１０の方向に上昇する。
同様に他の噴出口が対抗する対の回転体の片方どうしが互いに逆転して  同様に矢印１０の方向へ同様に全部の回転体が上昇する。
すなわち図５の、爆発室の原動力の爆発の六方向のすべての力は回転体により角度変換して求める矢印１０の方向の力となるものである。
図中  １６は原動力供給部である。
図６は回転体３が原動力より直接回転力を取り出すもので回転体３を複数組むことにより  爆発室２″を構成して回転体３に取り付けたブレード３″により直接回転力を取り出す。
前述した他の構成  および当該構成を多段に、噴出口と排気管内に設置することにより、発生して拡散する力を、回転体の角度変換の加速度の累積性と相俟って  限りなく効率よく利用できる。【００２２】  すなわち本実施例における移動では相殺法を単独で用いることにより、直線法、直角法では移動に要した対象を必要とせず、重力を含めた環境と関係なく自己移動するもので、
移動に要する原動力により発生する力を、直線法では一方向のみの使用で、残りを捨てていた力を、すべて使用することができる方法である。
かつ、求める進行方向に対して回転体は、六面あるいは六面のうちの四面を用いる場合には、必ず二面の対の回転体は直角に回転して公転するので、相殺法を含む直角法を形成できて、重力無重力に関係なく、回転体の系は真正の直線となり、安定する。【００２３】  また、互いの回転体の反作用は系内で相殺されるために、進行方向には一切影響せず派生する位置エネルギーと同等で再利用ができる。
従来のロケット、内燃機関等の求める進行方向以外の直線法では利用することが不可能であった、残りの六分の五の力を取り出して進行方向の力とするものである。
作用分を解放したロケット等の噴射機関、内燃機関等を問わず、ガス等の一次原動力あるいは電力、流体等の加工されたエネルギーの解放時に発生する力を、直線法のように一方向ではなく、有する力の全方位から、捨てることなく、直角法、相殺法によりあるいは併用して力を得ることができる。
従来の直線法では捨てていた力を上記の方法で得るもので、移動とは限らず加える力として用い得ることは論をまたない。【００２４】  また加工された電力等の二方向の場合は、従来は地面等の対象に伝えられていた方向分を回転体で受けるか  あるいは対の回転体による直角方向への移動の相殺法として利用する。
すなわち、移動体あるいは加力装置において従来の直線法では利用することが不可能であった進行方向以外の爆発等のエネルギーを直角法、相殺法により余すところなく利用して移動に利用するものである。【００２５】  本例示および説明は一次、二次を含めたエネルギーの、原動力で発生する力を直角法単独で、あるいは相殺法単独で、あるいは相殺法と直線法、あるいは直線法の三方法を併用して重力無重力の環境に応じて用いて力のロスを無くする。
これを要するに、原動力の爆発により発生する力を直接回転体に伝え、あるいは原動力の原動機により発生する力の、立方体の六面の方向の力を、あるいは六面または球面の内の任意の方向の力を、あるいは加工した二方向の力を、求める方向の力にすべく、直線法で求める方向の力は直線法で用い、あるいは相殺法を含む直角法で用い、直線法では用いることができない反作用を含む方向の力を相殺法を含む直角法で、用いる方向の力に変換して用いる構造および方法の回転体による爆発力の利用方法および利用体である。
【産業上の利用可能性】
【００２６】  従来は移動等ものに力を加える際には必要なものとして捨てていた力を利用することにより直面する資源等の節約ができる。
また直線法による移動方法と、相殺法を含む直角法による移動方法とは、爆発等の力の発現に対して、同列あるいは同じ機会、あるいは直線法による移動の限界で直角法となる現象であり、加工された電気等の二次エネルギーも、爆発の一次エネルギーも完全に利用することができる。
古来、先哲に始まる直線法による  ものの移動を基礎とした現代科学に並んで、直角法は存在しているが、直線法に隠れて、あるいは直線法による移動の限界で直角法は表れるために、見て見えぬ状態であり、直面する安全や資源環境問題の解決、先延ばしに利用して力の用い方の有用な発見発明である。
【図面の簡単な説明】
【００２７】
【図１】  ロケット等の噴射機関に相殺法を含む直角法を併用した模式図。
【図２】  加力点が直接接して角度変換する形のロケットへの取り付けの要部部分図。
【図３】  三方に噴出口のある角度変換移動体の要部部分図。
【図４】  図３の要部断面図。
【図５】  六方向に噴出口を有して発生する力のすべてを回転体により角度変換して同一方向に利用する概念図。
【図６】  回転体を組み合わせて爆発の力を直接回転体の回転にして角度変換して移動する要部概念図。
【符号の説明】
【００２８】１    ロケット。
２    噴射。
２′  噴射室。
３    回転体。
３′  回転体。
３″  ブレード。
４    加力点。
４′  加力点。
５    噴出口。
５５  噴出口５と対称の噴出口。
５２  噴出口５３と対称の噴出口。
５３  噴出口５２と対称の噴出口。
５４  噴出口５６と対称の噴出口。
５６  噴出口５４と対称の噴出口。
６    復帰具。
７    支持具。
８    回転体の回転方向を示す矢印。
９    中心軸。
１０  全体の進行方向を示す矢印
１１  排気管。
１１′排気口。
１２  外皮被覆。
１３  転がり車輪。
１４  原動力の供給等の制御部。
１５  受け部。
１６  原動力部。
５２    噴出口５の噴射。
５５２  噴出口５５の噴射。
５２２  噴出口５２の噴射。
５３２  噴出口５３の噴射。
５４２  噴出口５４の噴射。
５６２  噴出口５６の噴射。
【図１】
2008088968.tif 000003
【図２】
2008088968.tif 000004
【図３】
2008088968.tif 000005
【図４】
2008088968.tif 000006
【図５】
2008088968.tif 000007
【図６】
2008088968.tif 000008